(57)【要約】【課題】  排水能力が高く、水の逆流を確実に防止できるフロート式逆流防止弁を提供する。【解決手段】  排水系統中に配設するフロート式逆流防止弁１であって、上流口１１から連通する環状弁座６と、環状弁座６の下方に配され水位上昇により浮上して環状弁座６を閉じ水位低下により降下して環状弁座６を開けるフロート９と、フロート９の横方に位置してフロート９を上下方向に案内する複数個のガイド棒７と、フロート９の下方に位置してフロート９の降下位置を定める底板８と、底板８を上下に貫通する貫通孔１８と、ガイド棒の横方及び前記底板の下方と連通する下流口１８とを備える。【選択図】  図１
2014214850.tif 000002
【特許請求の範囲】
【請求項１】
排水系統中に配設するフロート式逆流防止弁であって、
上流口から連通する環状弁座と、
前記環状弁座の下方に配され水位上昇により浮上して前記環状弁座を閉じ水位低下により降下して前記環状弁座を開けるフロートと、
前記フロートの横方に位置して前記フロートを上下方向に案内する複数個のガイド棒と、前記フロートの下方に位置して前記フロートの降下位置を定める底板と、
前記底板を上下に貫通する貫通孔と、
前記ガイド棒の横方及び前記底板の下方と連通する下流口と、
を備えるフロート式逆流防止弁。
【発明の詳細な説明】
【技術分野】
【０００１】
本発明は排水系統中に配設して、液体の上流口から下流口への順方向の流れは許容するが、その逆方向すなわち下流口から上流口への流れは阻止するフロート式逆流防止弁に関する。
【背景技術】
【０００２】
従来のフロート式逆流防止弁は、例えば特許文献１に示されている。これは、排水系統中に配設するフロート式逆流防止弁であって、上流口から連通する環状弁座と、前記環状弁座の下方に配され水位上昇により浮上して前記環状弁座を閉じ水位低下により降下して前記環状弁座を開けるフロートと、前記フロートの横方に位置して前記フロートを上下方向に案内する複数個のガイド棒と、前記フロートの下方に位置して前記フロートの降下位置を定める底板とを備えるものである。
【先行技術文献】
【特許文献】
【０００３】
【特許文献１】実開平６−６７５８８号公報
【発明の概要】
【発明が解決しようとする課題】
【０００４】
上記従来のフロート式逆流防止弁は、平常時においては、フロートが環状弁座を開け降下して底板に載った状態であり、上流口の排水が環状弁座から各ガイド棒の間を通して下流方向の排水枡に流れる。一方、下流側からの水の逆流時においては、各ガイド棒の間を通してフロートの周囲に逆流する水の水位上昇により、フロートが浮上して環状弁座を閉じることにより上流口への逆流を防止する。しかしながら、このフロート式逆流防止弁においては、フロートの横方と下流方向の排水枡とがガイド棒の間だけを通して連通するものであるので、排水を環状弁座から下流方向に流すときの能力が低く、また、逆流時にフロートの浮上が遅れて水が上流口に漏出してしまうおそれがあった。
【０００５】
解決しようとする課題は、排水能力が高く、水の逆流を確実に防止できるフロート式逆流防止弁を提供することである。
【課題を解決するための手段】
【０００６】
上記の課題を解決するために、本発明のフロート式逆流防止弁は、排水系統中に配設するフロート式逆流防止弁であって、上流口から連通する環状弁座と、前記環状弁座の下方に配され水位上昇により浮上して前記環状弁座を閉じ水位低下により降下して前記環状弁座を開けるフロートと、前記フロートの横方に位置して前記フロートを上下方向に案内する複数個のガイド棒と、前記フロートの下方に位置して前記フロートの降下位置を定める底板と、前記底板を上下に貫通する貫通孔と、前記ガイド棒の横方及び前記底板の下方と連通する下流口と、を備える。
【発明の効果】
【０００７】
本発明は、平常時においては、フロートが環状弁座を開け降下して底板に載った状態であり、上流口の排水が環状弁座から各ガイド棒の間及び底板の貫通孔を通して下流口に流れるので、排水能力が高いという優れた効果を奏する。また、下流側からの水の逆流時においては、底板の貫通孔及び各ガイド棒の間を通してフロートの周囲に逆流する水の水位上昇により、フロートが浮上して環状弁座を閉じるので、フロートを早期に浮上せしめて水の逆流を確実に防止できるという優れた効果を生じる。
【図面の簡単な説明】
【０００８】
【図１】本発明の実施の形態に係わるフロート式逆流防止弁の断面図である。
【図２】図１の本体の底面図である。
【図３】図１の底板の平面図である。
【図４】本発明の別の実施の形態に係わるフロート式逆流防止弁の断面図である。
【図５】本発明の別の実施の形態に係わるフロート式逆流防止弁の断面図である。
【図６】本発明の別の実施の形態に係わるフロート式逆流防止弁の断面図である。
【発明を実施するための形態】
【０００９】
以下、本発明の実施の形態について、図１乃至図３を参照して説明する。図１は本発明の実施の形態に係わるフロート式逆流防止弁の断面図であり、図２は図１の本体の底面図であり、図３は図１の底板の平面図である。本実施の形態のフロート式逆流防止弁１は床面２に設けられた排水系統の排水管３内に配設され、床面２に溶接４により取り付けられる。フロート式逆流防止弁１は本体５と、本体５に取り付けられた環状弁座６及びガイド棒７と、ガイド棒７に取り付けられた底板８と、環状弁座６とガイド棒７及び底板８の内方に配置された球形のフロート９とを備える。
【００１０】
本体５にねじ結合により取付具１０が取り付けられ、取付具１０が溶接４により床面２に取り付けられる。本体５は上流口１１が上下に貫通し、下部のネジ孔１２にねじ結合される小ネジ１３により弁座押え１４を介して環状弁座６が本体５の下端に取り付けられる。環状弁座６は上流口１１の下端から連通する。また、本体５は下部のネジ孔１５にガイド棒７がねじ結合され、ガイド棒７の下部にガイド棒孔１６を有する底板９が挿入されナット１７により取り付けられる。ガイド棒７は等間隔に４本設けられ、フロート９の横方に位置してフロート９を上下方向に案内する。ガイド棒７は少なくとも３本以上で形成することができる。
【００１１】
フロート９は合成樹脂や合成ゴムで製作したりステンレス鋼等金属で中空に製作したりすることができ、水位上昇により浮上して環状弁座６を閉じ、水位低下により降下して環状弁座６を開ける。底板８はフロート９の下方に位置してフロート９の降下位置を定めるとともに、上下に貫通する常開の貫通孔１８を有する。下流口１９はガイド棒７の横方及び底板８の下方から連通する。
【００１２】
平常時においては、フロート９が環状弁座６を開け降下して底板８に載った状態であり、上流口１１の排水が環状弁座６から各ガイド棒７の間及び底板８の貫通孔１８を通して下流口１９側に流れる。これにより、速やかに排水できる。下流側からの水の逆流時においては、底板８の貫通孔１８及び各ガイド棒７の間を通してフロート９の周囲に逆流する水の水位上昇により、速やかにフロート９が浮上して環状弁座６を閉じる。これにより、水の逆流を確実に防止できる。
【００１３】
本発明の別の実施の形態について、図４乃至図６を参照して説明する。図４乃至図６は本発明の別の実施の形態に係わるフロート式逆流防止弁の断面図である。図４において、フロート式逆流防止弁１は本体５に設けられた雄ねじ５ａが排水管３に設けられた雌ねじ３ａにねじ結合により取り付けられる。これにより、フロート式逆流防止弁１を排水管３の雌ねじ３ａに簡単且つ確実に取り付けることができる。本体５の上端には図示しない上流側排水管が接続される。図５において、フロート式逆流防止弁１は本体５にねじ結合により取付具１０が取り付けられ、取付具１０に設けられた雌ねじ１０ａが排水管３に設けられた雄ねじ３ｂにねじ結合により取り付けられる。これにより、フロート式逆流防止弁１を排水管３の雄ねじ３ｂに簡単且つ確実に取り付けることができる。取付具１０の上端には図示しない上流側排水管が接続される。図６において、フロート式逆流防止弁１は本体５に設けられたフランジ５ｂが排水管３に設けられたフランジ３ｃにボルト２０により取り付けられる。これにより、フロート式逆流防止弁１を排水管３のフランジ３ｃに簡単且つ確実に取り付けることができる。フランジ５ｂには図示しない上流側排水管が接続される。
【産業上の利用可能性】
【００１４】
本発明は、排水系統中に配設して、液体の上流口から下流口への順方向の流れは許容するが、その逆方向すなわち下流口から上流口への流れは阻止するフロート式逆流防止弁に利用することができる。
【符号の説明】
【００１５】
１  フロート式逆流防止弁
２  床面
３  排水管
５  本体
６  環状弁座
７  ガイド棒
８  底板
９  フロート
１１  上流口
１８  貫通孔
１９  下流口
【図１】
2014214850.tif 000003
【図２】
2014214850.tif 000004
【図３】
2014214850.tif 000005
【図４】
2014214850.tif 000006
【図５】
2014214850.tif 000007
【図６】
2014214850.tif 000008